(57)【要約】  少なくとも、第１の層（２−２）と、第１の層（２−２）の上方の第２の層（２−４）であって、光学的に可変のインクからなる第２の層（２−４）と、１つまたは複数の個人化要素とを有するセキュリティ文書（１−１）であって、第２の層（２−４）は、１つまたは複数の個人化要素のうちの光学的に可変の要素である１つまたは複数の全体的にインクを有していないエリア（２−１２、２−１６、２−２１）および／または１つまたは複数の個人化要素のうちの光学的に可変の要素である１つまたは複数の部分的にインクを有していないエリア（２−１４）を有する。
2014515707.tif 000002
【特許請求の範囲】
【請求項１】
少なくとも、
第１の層（２−２）であって、印刷可能な材料を有する第１の層（２−２）と、
第１の層の上方の第２の層（２−４）であって、光学的に可変のインクを有する第２の層（２−４）と、
１つまたは複数の個人化要素（３−２、３−６）と
を有するセキュリティ文書（１−１）であって、
第２の層が１つまたは複数の部分的にまたは全体的に光学的にインクを有していないエリア（２−１２、２−１４、２−１６、２−２１）を有し、
１つまたは複数の個人化要素（３−２、３−６）は、第２の層（２−４）内の１つまたは複数の部分的または全体的に光学的に可変のインクを有していないエリア（２−１２、２−１４、２−１６、２−２１）によって少なくとも形成された１つまたは複数の光学的に可変の要素を有することを特徴とする、セキュリティ文書。
【請求項２】
１つまたは複数の部分的にまたは全体的に光学的に変化可能であるインクを有していないエリア（２−１２、２−１４、２−１６、２−２１）が、当初、光学的に可変のインクを有するエリアである、請求項１に記載のセキュリティ文書（１−１）。
【請求項３】
第１の層（２−２）と第２の層（２−４）の間に第３の層（２−６）をさらに有し、第３の層は、蛍光インクと、１つまたは複数の部分的にまたは全体的に蛍光インクを有していないエリアとを有し、
１つまたは複数の個人化要素（３−２、３−６）のうちの少なくとも１つは、第３の層（２−６）内の１つまたは複数の部分的にまたは全体的に蛍光発光する可変のインクを有していないエリア（２−１８、２−２２）によって少なくとも形成された１つまたは複数の蛍光発光する可変の要素を有する、請求項１または２に記載のセキュリティ文書（１−１）。
【請求項４】
第１の層（２−２）と第２の層（２−４）の間に第３の層（２−６）をさらに有し、第３の層は、光学的に可変のインクを有する別の層であり、
第２の層（２−４）は、第３の層（２−６）が１つまたは複数の個人化要素のうちの１つまたは複数のさらなる光学的に可変の要素を生成できるようにする１つまたは複数の全体的にインクを有していないエリア（２−１２、２−１６、２−２１）を有する、請求項１または２に記載のセキュリティ文書（１−１）。
【請求項５】
第３の層（２−６）が、第２の層（２−４）の光学的に可変のインクを有していないエリア（２−１６、２−２１）の下に、１つまたは複数の個人化要素のうちの光学的に可変の要素である１つまたは複数の全体的にインクを有していないエリア（２−１８、２−２２）を有する、請求項３または４に記載のセキュリティ文書（１−１）。
【請求項６】
第１の層（２−２）が、１つまたは複数の個人化要素のうちの光学的に可変の要素である１つまたは複数の空洞エリア（２−２３）を有する、請求項１から５のいずれか一項に記載のセキュリティ文書（１−１）。
【請求項７】
第１の層（２−２）内の空洞エリア（２−２３）が、第３の層（２−４）内のインクを有していないエリア（２−１８）よりも小さいと共に／または、第３の層（２−６）内のインクを有していないエリア（２−１８）は、第２の層（２−４）内のインクを有していないエリア（２−１６）よりも小さい、請求項５または６に記載のセキュリティ文書（１−１）。
【請求項８】
セキュリティ文書（１−１）が、文書（１−１）内にシースルー材料の１つまたは複数のウィンドウ（１−１２）をさらに有する、請求項１から７のいずれか一項に記載のセキュリティ文書（１−１）。
【請求項９】
構造をさらに有し、該構造が、シースルー材料の１つまたは複数のウィンドウを有し、構造は、セキュリティ文書（１−１）に装着され、セキュリティ文書（１−１）との関係において移動可能である、請求項１から７のいずれか一項に記載のセキュリティ文書（１−１）。
【請求項１０】
セキュリティ文書（１−１）が、パスポート文書、ＩＤカード、運転免許証、クレジットカード、メンバーシップカード、電話カード、通貨、銀行券、証券、株券、切手、有価文書、有価製品内に、あるいは、アルコール、薬剤、食品、飲料用の、またはハンドバッグ、ブリーフケース、ボールペン、鉛筆、葉巻、靴、ネクタイなどの贅沢品用の製品サインに含まれることを特徴とする、請求項１から９のいずれか一項に記載のセキュリティ文書（１−１）。
【請求項１１】
１つまたは複数の個人化要素が、ポジ画像要素および／またはネガ画像要素および／またはコンパクト表面要素または冗長性データを有する要素であることを特徴とする、請求項１から１０のいずれか一項に記載のセキュリティ文書（１−１）。
【請求項１２】
印刷可能な材料を有する第１の層（２−２）上において光学的に可変のインクを有する第２の層（２−４）を印刷するステップを少なくとも有するセキュリティ文書（１−１）に対する１つまたは複数の個人化要素を製造する方法であって、
１つまたは複数の個人化要素のうちの１つまたは複数の光学的に可変の要素を生成するために第２の層から少なくとも部分的に光学的に可変のインクを選択的に除去するステップを特徴とする、方法。
【請求項１３】
第３の層（２−６）が第１の層（２−２）と第２の層（２−４）の間に配置されるように、第２の層（２−４）を印刷する前に、第３の層（２−６）を印刷するステップであって、第３の層（２−６）は、蛍光インクを有する、ステップと、
１つまたは複数の個人化要素のうちの１つまたは複数の蛍光発光する可変の要素をさらに生成するために第２の層の少なくとも一部分から光学的に可変のインクを全体的に除去するステップと
をさらに有する、請求項１２に記載の方法。
【請求項１４】
除去ステップは、
少なくとも低パワーのレーザービーム（２−１０）により、少なくとも部分的に第２の層（２−４）または第２の層（２−４）および第３の層（２−４）を除去するステップを有する、請求項１２または１３に記載の方法。
【請求項１５】
異なる色のシェードを有する１つまたは複数の個人化要素のうちの１つまたは複数の光学的に可変の要素および／または１つまたは複数の蛍光発光する可変の要素を生成するために、少なくとも可変のパワーのレーザービーム（２−１０）により、少なくとも部分的に第２の層（２−４）または第２の層（２−４）および第３の層（２−４）を除去するステップをさらに有する、請求項１２から１４のいずれか一項に記載の方法。
【請求項１６】
第３の層（２−６）内の１つまたは複数のインクを有していないエリア（２−１８、２−２２）が第２の層（２−４）内の１つまたは複数のインクを有していないエリア（２−１６、２−２１）に対してアライメントされるように、レーザービーム（２−１０）を導くステップを有する、請求項１４または１５に記載の方法。
【請求項１７】
第３の層（２−６）内に生成されるインクを有していないエリア（２−１８）が、第２の層（２−４）内のインクを有していないエリア（２−１６）よりも小さくなるように、レーザービーム（２−１０）を導くステップをさらに有する、請求器１６に記載の方法。
【請求項１８】
１つまたは複数のウィンドウを有する構造を通じて光学的に可変のインクを選択的にまたは光学的に可変のインクおよび蛍光発光する可変のインクを除去するステップを有する、請求項１２から１７のいずれか一項に記載の方法。
【請求項１９】
１つまたは複数のウィンドウ（１−１２）に対しておよび／または第２の層（２−４）に対しておよび／または第３の層（２−６）に対しておよび／または第１の層（２−２）に対して１つまたは複数の個人化要素を生成するために、１つまたは複数のウィンドウ（１−１２）から炭素粒子を解放するべく低パワーのレーザービーム（２−１０）または可変のパワーのレーザービーム（２−１０）を１つまたは複数のウィンドウ（１−１２）を通じて導くステップを有する、請求項１８に記載の方法。
【請求項２０】
パスポート文書、ＩＤカード、運転免許証、クレジットカード、メンバーシップカード、電話カード、通貨、証券、株券、銀行券、切手、有価文書、または有価製品である、あるいは、アルコール、薬剤、食品、飲料用の、または、ハンドバッグ、ブリーフケース、ボールペン、鉛筆、葉巻、靴、ネクタイのような贅沢品用の製品サインであるセキュリティ文書（１−１）を生成するための、請求項１２から１９のいずれか一項に記載の方法の使用。
【発明の詳細な説明】
【技術分野】
【０００１】
本発明は、セキュリティ文書およびその製造方法に関し、より詳しくは、レーザー個人化法によって処理された少なくとも１つの光学的に可変の要素を有するセキュリティ文書に関する。
【背景技術】
【０００２】
パスポートなどのセキュリティ文書は、ある人物をすべてのその他の人物から識別すると共にその人物が当該人物であることを検証するために使用される。さらには、パスポートにより、違法な旅行が防止されると共に合法的な旅行が容易になる。
【０００３】
パスポートの個人化とは、個人的なデータをパスポートに追加することを意味している。前記データは、印刷インクによってパスポートに印刷することができる。印刷インクによる個人化に加えて、セキュリティインクによって印刷されたマークまたはサインを使用することもできる。セキュリティインクは、様々な色において供給されているため、セキュリティインクにより、例えば、スウェーデン国民全員がパスポート上に印刷された黄色のセキュリティインクの円を有することができる一方で、フィンランド国民の全員がパスポート上に印刷された青色のセキュリティインクの円を有することができるというように、セキュリティが向上する。この種のさらなるセキュリティマークの付与に加えて、セキュリティインクの取引および流通は厳格に規制されているため、セキュリティインクは、偽造に対する効果的な解決策をも提供する。しかし、偽造者が未使用の文書を入手しあるいは盗まれた文書または製品上の合法的なデータを消去する能力を有している状況においては、セキュリティをさらに向上させる必要がある。
【発明の概要】
【発明が解決しようとする課題】
【０００４】
本発明の目的は、上述の問題点を解決する方法およびこの方法を実装した装置を提供することにある。本発明の目的は、独立請求項に記述されている内容を特徴とする方法および構成によって実現される。本発明の好適な実施形態は、従属請求項に開示されている。
【課題を解決するための手段】
【０００５】
本発明は、様々なセキュリティ製品または文書に１つまたは複数の個人化層を追加すると共にそれらの個人化層を処理して前記製品または文書の変更を困難にするという概念に基づいたものである。
【０００６】
本発明の方法および構成の利点は、偽造の試みに対する様々なセキュリティ文書のセキュリティまたは様々な製品の信憑性が改善されるという点にある。
【０００７】
以下、添付図面を参照し、好適な実施形態を利用して本発明についてさらに詳細に説明することとする。
【図面の簡単な説明】
【０００８】
【図１】本発明およびその実施形態によるセキュリティ文書を示す。
【図２】本発明およびその実施形態によるセキュリティ文書の一部を示す。
【図３】本発明およびその実施形態によるセキュリティ文書の個人化の一部を示す。
【発明を実施するための形態】
【０００９】
本発明およびその実施形態は、例えば、パスポート文書、ＩＤカード、運転免許証、クレジットカード、メンバーシップカード、電話カード、通貨、有価文書、または有価製品、あるいは、高いセキュリティおよび信頼性または信憑性のマークを必要としている他のなんらかの文書または製品などの多数の様々な文書および製品に適用することができる。さらには、この文書または製品は、例えば、銀行券、証券、または切手、あるいは、任意のその他の紙またはその他の材料片に含めることもできる。また、本発明およびその実施形態によるセキュリティ要素またはセキュリティ装置が設けられた上述の文書または製品は、アルコール、薬剤、食品、および飲料、ならびに、ハンドバッグ、ブリーフケース、ボールペン、鉛筆、葉巻、靴、ネクタイなどのような様々な種類の贅沢品の違法な取引に対する規制メカニズムを提供するために使用することもできる。図１は、このようなセキュリティ文書の第１の実施形態であるパスポートを示している。
【００１０】
パスポートには、所有者の写真、所有者の署名、および所有者に関する情報を有する記述データのような１つまたは複数の個人化要素を設けてもよい。所有者のデータは、例えば、所有者の氏名、住所、誕生日、および社会保障番号、文書の連番、および発行機関の名称に関する多数の情報を有することができる。さらには、セキュリティ文書は、セキュリティ文書の偽造を可能な限り困難にするために、複数のセキュリティ要素およびアイテムを含んでもよい。データおよびセキュリティアイテムの一部またはすべては、文書に装着されたまたは埋め込まれた電子モジュール内に存在してもよい。
【００１１】
図１に示されている文書は、前面カバー１−２と、背面カバー１−４と、前面カバーの他方の面上の内側カバー１−１０とを有する。これらのカバー間には、上述の情報が提供されたデータページ１−５、第１のビザページ１−８、および１つまたは複数のさらなるビザページ１−６を挿入することができる。その一方において、セキュリティインクによってまず印刷された後に処理された１つまたは複数のセキュリティマーク、サイン、または要素を有する文書または製品は、カードの所有者および／または提供者に関する情報と、カードの一面上のまたはカードの両面上の、ならびに／あるいはカードの内部の、但し、少なくともカードの一面上の、セキュリティ要素とを有するカードと同程度に単純なものであってもよい。
【００１２】
セキュリティ文書が文書のカバー間にページを有している場合には、それらのページのすべては、一端において互いに付着している。
【００１３】
ページのそれぞれおよびカバーのそれぞれは、文書の個人化を実行するためのまたは文書の個人化の実行を支援するための１つまたは複数のウィンドウ１−１２を有することができる。図１においては、データページは、１つのウィンドウまたは１つのウィンドウエリア１−１２を含んでいる。
【００１４】
図２は、本発明およびその実施形態によるセキュリティ文書の一部分を示している。セキュリティ文書またはその一部分は、少なくとも２つの層、すなわち、基本層または基材層と、被覆層とを有する。図２においては、文書は、例えば、紙や紙に基づいた材料またはポリカーボネートなどの任意の印刷可能な材料であってもよい第１の層２−２と、光学的に可変のインクの第２の層２−４とを有する。任意選択により、第１の層と第２の層の間に、中間層または第３の層２−６を設けることもできる。この第３の層は、さらなるＵＶ効果を提供するために光学的に可変のインクの下に堆積された蛍光インクまたはなんらかの他の光学的特性を有するインクであってもよい。第３の層は、第１の層および第２の層のものとは異なる光学的特性を有することができる。
【００１５】
すべての層は、１つの材料のみから構成することができる。あるいは、この代わりに、すべての層が複数の材料を有することもできる。例えば、複数の効果を１つの層から実現することができるように、主に光学的に可変のインクからなる光学的に可変の層が蛍光材料をその層内に有することもできる。また、異なる層の接着性、層の印刷性、強度、硬さ、丈夫さ、衝撃抵抗性、密度、腐食許容度、熱伝導性、導電性、および磁気効果、ならびに、層の価格を実現および制御するために、他の材料を利用することもできる。
【００１６】
蛍光インクは、２つの異なる蛍光インクおよび効果による二蛍光発光、３つの異なる蛍光インクおよび効果による三蛍光発光、燐光を呈する燐光発光、低周波数信号から高周波数信号へのアップコンバージョン、および特定波長における周波数の吸収／周波数における透過性のような１つまたは複数の光学的効果および／または蛍光的効果を生成することができる。
【００１７】
一実施形態においては、セキュリティ文書は、互いに上下に重畳またはオーバーラップした複数のＯＶＩ層および／または複数の蛍光層を有する。また、前記層は、交互に変化させることもできる。例えば、層２および層３は、その両方が、ＯＶＩ層であってもよく、または、蛍光層であってもよい。構造が、例えば、４つの層を基本層の上方に有している場合には、それらの層は、例えば、第１のＯＶＩ層、第１の蛍光層、第２のＯＶＩ層、および第３のＯＶＩ層であってもよい。
【００１８】
第１の層は、白色の紙であってもよく、あるいは、１つまたは複数の色を有する紙であってもよい。第３の層は、例えば、オフセット印刷法により、第１の層の上方に印刷することが可能であり、第２の層は、例えば、オフセット印刷により、または、シルクスクリーン印刷法により、第３の層の上方に印刷することができる。
【００１９】
換言すれば、セキュリティ文書１−１は、少なくとも、第１の層２−２であって、例えば、紙に基づいた層またはポリカーボネートを有するものなどの任意の印刷可能な層である第１の層と、第１の層の上方の第２の層２−４であって、光学的に可変のインクおよび１つまたは複数の個人化要素からなるまたはこれらを有する第２の層とを有する。第２の層は、１つまたは複数の個人化要素のうちの光学的に可変の要素である１つもしくは複数の部分的に光学的に可変のインクを有していないエリア２−１４、または全体的に光学的に可変のインクを有していないエリア２−１２、２−１６、２−２１を有する。例えば、エッジ、コーナー、および切断部、ならびに、底部エリアなどのインクを有していないエリアの形状は、１つまたは複数の光学的に可変の効果を生成する。これは、光学的に可変の要素および／または蛍光発光する可変の要素は、インクを有していないエリアおよび／またはインクを有するエリアを有することができることを意味している。一実施形態においては、インクを有していないエリアおよびインクを有するエリアは、協働して前記要素およびセキュリティ文書またはその一部分を形成している。
【００２０】
セキュリティ文書は、第１の層と第２の層の間に第３の層２−６をさらに有することが可能であり、第３の層は、蛍光インクからなるかまたはこれを有している。第２の層が、１つまたは複数の全体的にインクを有していないエリアを第３の層まで有している場合には、第３の層がいまや第２の層の下方において観察可能であるため、第２の層により、第３の層は、１つまたは複数の個人化要素のうちの１つまたは複数の蛍光発光する可変の要素として蛍光発光することができる。したがって、例えば、エッジ、コーナー、および切断部、ならびに、底部エリアなどのインクを有していないエリアの形状により、いまや、１つまたは複数の蛍光発光する可変の効果を生成することができる。さらには、第３の層は、第２の層の全体的に光学的に可変のインクを有していないエリア２−１６、２−２１の下方に、１つまたは複数の個人化要素のうちの光学的に可変の要素である１つまたは複数の部分的にまたは全体的に蛍光発光するインクを有していないエリア２−１８、２−２２を有することもできる。これは、その下方の層が露出すると共に観察可能となるように、第３の層を除去することができるためである。
【００２１】
第１の層は、１つまたは複数の個人化要素のうちの光学的に可変の要素である１つもしくは複数の空洞エリア２−２３または隆起部を有することができる。第１の層内の空洞エリアは、第３の層および第２の層内のインクを有していないエリアよりも小さくてもよい。第３の層内のインクを有していないエリアは、第２の層内のインクを有していないエリアよりも小さくてもよい。
【００２２】
図２に示されている積層構造２−１は、セキュリティ文書の１つまたは複数の部分に設けることができる。この層構造に加えて、文書は、１つまたは複数のウィンドウ１−１２を有する構造体１−５を有することもできる。これらの構造体は、図１に示されているように、例えば、パスポートの異なるページ上に存在してもよい。逆に、これらは、同一のページまたは基部材料上に存在してもよい。ウィンドウを有する構造は、セキュリティ文書（１−１）のその他の部分に装着することも可能であり、前記構造体は、セキュリティ文書（１−１）の少なくとも１つのその他の部分との関係において移動可能であってもよい。例えば、パスポートなどの冊子においては、内側カバーは、ＯＶＩ要素と、したがって、複数のインク積層構造とを有することが可能であり、データページは、ウィンドウを有することができる。データページは、一端において、例えば、パスポートなどの冊子の内側カバーに対する結束、糊付け、または接着接合によって装着され、データページは、内側ページとの関係においてめくることも可能であり、あるいは、移動させることもできる。また、ウィンドウページまたはセキュリティ文書のなんらかの他の部分をセキュリティ文書に対して着脱自在に装着することもできる。
【００２３】
一実施形態によれば、第２の層内の１つまたは複数の光学的に可変のインクを有していないエリア２−１２、２−１４、２−１６、２−２１および／または第３の層内の１つまたは複数の光学的に可変のインクを有していないエリア２−１８、２−２２および／または第１の層内の１つまたは複数の空洞エリア２−２３および／または１つまたは複数のウィンドウ１−１２は、１つまたは複数の個人化要素を形成するように、一緒に配列されている。
【００２４】
本発明の方法およびその実施形態においては、第１のフェーズにおいて、セキュリティ文書の第１の層を設けており、第１の層は、例えば、紙に基づいた材料またはポリカーボネートを有する。次のフェーズは、セキュリティ文書の第２の層を第１の層の上方に印刷するステップを有することが可能であり、第２の層は、光学的に可変のインクから構成されており、また、第３のフェーズは、１つまたは複数の個人化要素のうちの１つまたは複数の光学的に可変の要素を製造するために、光学的に可変のインクを少なくとも部分的に選択的に除去するステップを有することができる。除去フェーズにおいては、第２の層は、第２の層が当初存在していたエリアから除去される。換言すれば、光学的に可変のインクの除去は、光学的に可変のインクが、除去するステップの前に印刷されていたエリアから実行される。同様に、例えば、１つまたは複数の蛍光発光する可変のインク層または１つまたは複数のその他の光学的に可変のインク層のようなその他の層の除去は、これらの層が当初存在していたエリアから実行される。
【００２５】
また、様々なエリアの除去は、切除、彫刻、食刻、および／またはその他の技法による除去をも有する。
【００２６】
この方法は、第３の層が第１の層と第２の層の間に配置されるように、セキュリティ文書の第２の層を印刷する前にセキュリティ文書の第３の層を印刷するステップをさらに有することが可能であり、第３の層は、蛍光インクまたは光学的に可変のインクからなり、次いで、必要に応じて、第３の層まで延在するように光学的に可変のインクを除去することにより、１つまたは複数の個人化要素のうちの１つまたは複数の蛍光発光する可変の要素または光学的に可変の要素をさらに生成するステップを有することができる。
【００２７】
１つまたは複数の個人化要素のうちの１つまたは複数のさらなるまたはその他の光学的に可変の要素は、第１の層まで延在するように蛍光発光する可変のインクを除去することにより、生成することができる。したがって、セキュリティ文書内には、インクを有していないエリアおよびインクを有するエリアが存在することができる。
【００２８】
第２の層のまたは第２の層および第３の層の少なくとも部分的な除去は、１つまたは複数の個人化要素のうちの１つまたは複数の光学的に可変の要素および／または１つまたは複数の蛍光発光する可変の要素を生成するために、少なくとも低パワーのレーザービームによって処理することができる。あるいは、この代わりに、またはこれに加えて、様々なシェードを有する１つまたは複数の個人化要素のうちの１つまたは複数の光学的に可変の要素および／または１つまたは複数の蛍光発光する可変の要素を生成するために、可変パワーのレーザービームを使用することもできる。いずれの場合においても、第３の層内の１つまたは複数のインクを有していないエリアが第２の層内の１つまたは複数のインクを有していないエリアに対してアライメントされるように、レーザービームを導くことができる。低パワーレーザービームおよび／または可変レーザービームは、後述するように、文書の外部のまたは文書の内部のウィンドウを通じて導くことができる。
【００２９】
したがって、個人化または認証の第１のフェーズにおいて、例えば、オフセット印刷法により、個人的な、認証の、またはその他のデータを文書の紙またはセキュリティ装置に印刷することができる。すべての文書においてまたは文書のすべての組において同一である規定の形態のバックグラウンド印刷オブジェクトの場合には、オフセット印刷またはシルクスクリーン印刷を使用することができる。基材が紙から構成されているかまたは主に紙から構成されている場合には、インクジェット印刷により、またはレーザー印刷により、個人化を実行することができる。基材がポリカーボネートからなる場合には、レーザーを使用することが可能であり、また、基材がなんらかのその他のプラスチック表面または場合によってはポリカーボネートを有している場合には、なんらかの種類の熱転写印刷による。また、プラスチック表面には、インクジェット印刷を使用することもできる。
【００３０】
第２のフェーズにおいて、１つまたは複数のレーザービームまたは１つまたは複数のレーザーパワーにより、個人的な、認証の、またはその他のデータをセキュリティ装置またはセキュリティ文書の第１の層、第２の層、および／または第３の層に提供する。本発明の一実施形態として、１つまたは複数のレーザービームおよびレーザーパワーを１つまたは複数のウィンドウを通じてガイドすることにより、レーザー除去を処理することができる。個人化および認証は、ＵＶ光下においてＯＶＩインクの下方において明らかになる蛍光発光する色として、ＩＲ光下においてＯＶＩインクまたは特殊な色として、太陽光下において支援を伴わないＯＶＩインク自体として、および／または、それ自体で、または使用されている１つもしくは複数のウィンドウとのおよび／またはその他のシースルー要素との組合せにおいて、観察することができる。レーザー個人化によるＯＶＩ層の成形または編集に起因して、異なる色および／または効果が可能である。
【００３１】
あるいは、この代わりに、ＯＶＩインク層および／または蛍光発光するインク層を除去することができると共に／または、一実施形態においては、ウィンドウに対しておよび／またはウィンドウを通じて影響を及ぼすことができるプラズマ除去器または任意のその他の除去器をレーザー除去装置の代わりに使用することもできる。
【００３２】
このような処理済みのセキュリティ装置またはセキュリティ文書は、個人化または認証を１つまたは複数のインクにおいておよび／または１つまたは複数の色において有することができる。
【００３３】
図２に開示されている構造は、文書の少なくとも１つの場所におけるものであってもよい。一実施形態においては、データページ１−５の全体が３層構造を有することができる。別の実施形態においては、データページの一部分のみが前記構造を有することができる。さらに別の実施形態においては、データページおよび両方のカバーが前記構造を有する。文書のこの部分は、例えば、内側カバーに対向する１枚の紙ビザページ上などの紙データページ上に前記構造を有することができる。銀行券のような他の文書は、前記構造を文書の表面または外側表面の一部分上に有することができる。
【００３４】
上述のように、セキュリティ文書は、例えば、適切なインクと前記インクの除去のためのレーザー技法を使用することにより、１つまたは複数の光学的に可変の要素によって個人化することができる。使用可能なインクは、好ましくは、複雑な製造工程と高度な偽造防止の信頼性を有する。さらには、インクは、太陽光、湿気、および損耗などの環境要因に対する高い抵抗力を有する必要がある。
【００３５】
偽造防止手段として、光学的に可変のインク、すなわち、ＯＶＩインクが重要な文書におけるマーカーとして使用される場合には、そのインクを、例えば、紙の上などの文書の基材上に、シルクスクリーン印刷またはオフセット印刷することができる。３層構造が使用されている場合には、ＯＶＩインクは、蛍光発光するインク層上に設けることができる。大きな粒子から構成されているため、ＯＶＩインクは、シルクスクリーンによって最も適切に印刷される。これらの粒子をインクジェット印刷またはレーザー印刷によって処理して十分に厚いＯＶＩインクの層を得ることはできない。光学的に可変のインクが使用されるのが好ましい。その理由は、これらのインクが、例えば、特殊薄膜の小さなフレークのまたは金属フレークのまたは小さな金属スティックまたは球体の形態を有する金属を含んでいるためである。ＯＶＩインクを含む要素の観察角度が変化するのに伴って、金属粒子は色が変化する。
【００３６】
したがって、光の入射角に応じて、ＯＶＩインクは、白色光のうちの様々な波長を反射する。この結果、観察角度が変化している間に、裸眼で観察することにより、色の変化を検出または知覚することができる。太陽光の下で観察されるとき、インクは、例えば、光学的な変化および鋭い色の変化を有する２つの色を付与する。これは、インクが、複数の色を有するカラフルな金属光沢を有するためである。色の組合せは、例えば、緑色と青色、赤色と緑色、金色と銀色、または金色とオレンジ色であってもよい。
【００３７】
ＯＶＩ要素またはＯＶＩ要素を有する構造は、コンパクトな表面として印刷することができる。これは、インクの厚さによって外形が画定されるように、ＯＶＩエリアおよび／またはセキュリティ装置の形状の外形が完全にインクによって覆われていることを意味している。
【００３８】
ＯＶＩ層は、文書のなんらかのエリアにわたって設けることができる。あるいは、この代わりに、ＯＶＩインクは、例えば、異なるＩＤマーク、サイン、またはエンブレムをマーキングするために、文書の小さなエリア内においてのみ使用してもよい。ラインによる個人化または認証の場合には、色および色の変化ならびに個人化および認証が動作および機能するように、金属ラインまたはマークの十分な厚さもしくは幅が、あるいは、個人化または認証のための十分な表面もしくはエリアが、存在しなければならない。換言すれば、ＯＶＩインクは、ＯＶＩインクの除去による個人化の後に、十分なエリアを有する。コンパクトな表面による個人化または認証の場合には、色および色の変化ならびに個人化および認証が動作および機能するように、個人化または認証のための十分な表面もしくはエリアが存在しなければならない。換言すれば、ＯＶＩインクは、ＯＶＩインクの除去による個人化の後に、十分なエリアを有する。
【００３９】
個人化要素は、３層構造内の３つ層のすべてに対して作製することができる。紙またはポリカーボネートのような印刷可能な材料の第１の層２−２に対しては、オフセット印刷によってセキュリティ要素を生成することができる。光学的に可変のインクの第２の層２−４に対しては、セキュリティ要素をシルクスクリーン印刷によって生成することができる。また、蛍光発光するインクの第３の層２−６に対しては、セキュリティ要素をオフセット印刷によって生成することができる。２層構造の場合にも、同一の印刷ステップおよび材料が使用される。
【００４０】
印刷フェーズの後に、第２のフェーズにおいて、非常に小さなレーザーパワーを使用し、十分な制御の下にインクの除去を実現することができる。これは、ＳＩＣＰＡ社が製造しているデファクト標準のＯＶＩインクなどの様々な種類のインクにおいて良好に機能する。したがって、個人化レーザーの使用を光学的におよび／または蛍光発光する可変のインクと組み合わせることにより、光学的におよび／または蛍光発光する可変の個人化を実現することができる。
【００４１】
ＯＶＩ層の金属色がレーザーパワーによって伝達されるエネルギーまたは誘発される熱に起因して除去されるがＯＶＩ層の下方の層の蛍光発光する色は除去されないように、レーザーパワーを選択することができる。換言すれば、第１の層は、第１の耐熱値を有することが可能であり、第２の層は、第２の耐熱値を有することが可能であり、第３の層は、第３の耐熱値を有することができる。第２の値は、第３の値よりも小さくてもよい。
【００４２】
図３は、本発明およびその実施形態によるセキュリティ文書の個人化の一部を示している。個人化または認証は、正の除去および負の除去の両方を利用することができる。例えば、ＩＤ数値３−４、３−８を使用する場合には、数値のそれぞれの桁のエリア３−２を除去することも可能であり、または、数値のそれぞれの桁の外側のエリア３−６を除去することもできる。また、正の除去および負の除去を組み合わせることもできる。
【００４３】
光学的に可変の要素のレーザー個人化を使用することによって実現可能である多数の効果が存在している。文書の連番を文書上に書き込む際には、基材に印刷される数値は、ＯＶＩインクを貫通した穴として表現され、その理由は、レーザーがＯＶＩインク層を貫通することができるためである。写真または別のサインをＯＶＩインク内に個人化することが可能であり、これにより、可変のパワーを使用して部分的にのみＯＶＩインクを除去し、この結果、文書が異なる観察角度において観察された際に、異なる色のシェードを得ることができる。また、所有者の連番または写真は、レーザーを使用してキャラクタまたは写真のエリアを除いてＯＶＩインクを除去したようなネガ画像として作成することもできる。さらには、写真をポジ画像またはネガ画像として個人化することも可能であり、後者の場合には、データページ上の主な写真の変更は、この第２の画像の反転における実行が必要となることから、文書に対してさらなるセキュリティを提供する。
【００４４】
前記インクを使用する際の唯一の制限は、インクが文書表面上に存在しなければならず、この結果、例えば、印刷がプラスチックの内部に存在しているプラスチックカードの場合に、このインクが使用不能となるという点にある。しかし、まず、インク層を作製した後に、プラスチック材料により、またはその他の材料により、対象物を被覆することもできる。
【００４５】
図１および図２を参照すれば、本発明およびその実施形態の様々な多数の実装形態が存在している。データページ１−５が紙から構成されている場合には、レーザーが表面にアクセスすることができる。この場合には、例えば、ＯＶＩパッチをデータページ上に印刷すると共に上述のアプリケーションを利用することにより、紙データページの表面上に個人化を実施することができる。また、紙データページ内において、この印刷された特徴は、さらなる可視性を有する光源に対してページが保持された際に、バックライトにおいて観察することもできる。また、個人化された要素は、文書１−８の第１のページ上において実施することも可能であり、このページは、データページとは反対側のものであってもよい。これは、第１のビザページがデータページと同時に観察されるのに伴って、個人化要素およびセキュリティ要素用のさらに大きなエリアおよびさらに大きいな可能性を提供し、したがって、さらなる個人化された要素用の自然な場所として機能する。この実装形態は、紙データページと合成データページの両方において機能する。
【００４６】
例示用の第３の実装形態においては、パスポートのようなセキュリティ文書のプラスチックデータページが１つのウィンドウを有している。個人化がウィンドウを通じて行われるように、ＯＶＩ要素を文書の内側カバー１−１０上に配置することができる。ウィンドウを通じても、データページをめくった際の内側カバー上においても、個人化を検証することができる。あるいは、この代わりに、ウィンドウおよび内側カバーと要素の協働動作としてまたは相互作用として個人化を実現することもできる。
【００４７】
上述の方法の代わりに、またはこれに加えて、第１の層と第２の層の間に第３の層を装着することもできる。第３の層は、蛍光インク層であってもよい。したがって、ＯＶＩパッチの背後において蛍光インクのパッチを印刷することができる。印刷ステップの後に、次のステップにおいて、ＯＶＩインクを選択的に除去し、これにより、ＯＶＩインクの背後の蛍光インクを露出させることができる。この結果、レーザーは、光学的に可変の個人化のみならず、蛍光発光する可変の個人化をも実行する。
【００４８】
ＯＶＩインクが、例えば、レーザーにより、紙基材から除去された際に、ＯＶＩインクの背後のオフセット印刷は、そのまま留まることが可能であり、特に、そこには、ＵＶ蛍光インクを観察することができる。
【００４９】
ウィンドウは、個人化される文書内に配置することができる。また、ウィンドウは、文書に装着されない別個のウィンドウとして存在してもよい。一用途においては、レーザーパワーがウィンドウに導かれることにより、ウィンドウ内の炭素粒子がウィンドウから分離されるとともに、ＯＶＩ層に向かって、移動、流動、または前進するように、文書が個人化されている。熱に起因し、またはＯＶＩ層に供給された熱に起因し、この層またはこの層の金属色が除去され、次いで、ＯＶＩ層の背後の蛍光層が露出する。蛍光層が露出した際に、前記層は、ＵＶ光の下方において観察することが可能であり、これにより、蛍光発光する可変の個人化が得られる。２層構造のみが使用される場合には、供給された熱によってＯＶＩ層を除去することが可能であり、ＯＶＩ層の背後の基本層が露出する。基本層に応じて、様々な個人化効果を、ＯＶＩ層を通じて観察することができる。一用途においては、レーザー除去によってポリカーボネート層または紙に影響を及ぼし、これにより、例えば、文書が検査される際に、様々な色グレーのシェードを提供することができる。したがって、蛍光層および／または基本層に対してＯＶＩインク層を貫通して文書の所有者の名称を除去することにより、セキュリティ文書を個別化または個人化することができる。また、ＯＶＩ層上に生成された要素および／または写真を観察することもできる。個人化は、層のそれぞれに対するポジ画像またはネガ画像として実施することができることに留意されたい。
【００５０】
例えば、パスポートの内側カバーは、その上部に印刷された個人的データを有することができる。蛍光層およびＯＶＩ層は、紙の上部に存在することができる。第１のパスポートページは、炭素粒子が設けられたウィンドウエリアを有するポリカーボネートまたはその他の適切なプラスチック材料から構成してもよい。レーザービームがウィンドウに導かれた際に、これらの炭素粒子は、ウィンドウを通じて移動し、これにより、ＯＶＩ色を破壊するが、その他の層は、そのままの状態で残す。例えば、数値を、ＯＶＩ層を介して除去する場合には、金属色が数値エリアから除去され、この数値がＵＶ光下において観察される。また、数値は、ＯＶＩ層から観察することもできる。また、ウィンドウが、この数値を有することもできる。個人化は、数値が、支援を伴わない状態において、または可能な限り多くの層から支援された状態において、あるいは、いくつかの既定の層からのみの支援を伴う状態において、可視状態となるように生成することができる。
【００５１】
セキュリティ文書を個人化するために、いくつかのウィンドウエリア、またはウィンドウステンシルもしくはテンプレート、あるいは、これらの両方が存在してもよい。ウィンドウが文書内に存在している場合には、ウィンドウの厚さは、ウィンドウが装着または統合される材料の厚さと実質的に同一であってもよい。ウィンドウの厚さは、例えば、パスポートのデータページと同一の厚さであってもよい。
【００５２】
一般的な文書の検査には、異なる角度から文書を観察するステップを含む視覚検査であって、ＯＶＩインクが異なる観察角度において色が変化する、視覚検査と、紫外光におけるＵＶ光下における文書の検査であって、光蛍光インクをＵＶ光下において観察する文書の検査と、赤外光下におけるＩＲ光における標準的なパスポート読取機による検査であって、ＯＶＩインクの除去をＩＲ光下においてネガ画像として観察する検査とが含まれる。これらのケースのいずれにおいても、個人的なデータを可視状態において残すことができる。
【００５３】
本発明およびその実施形態は、通常は可視色のセキュリティアイテムを使用するかまたはＵＶ蛍光成分を有するかまたはカーボネートからなると共にレーザー除去法によって処理されることによって、グレーのシェードを視覚検出させる多数の様々なセキュリティ文書において使用されているデータを真似るかまたは複製することが容易ではないという利点を提供するが、偽造者は、ブランクの文書を入手するかまたは盗まれた文書上の合法的データを消去することになろう。したがって、本発明およびその実施形態にしたがって様々なセキュリティ特徴およびマーキングをセキュリティ印刷することにより、これらの状況に対するセキュリティがさらに増大する。
【００５４】
これらのセキュリティ特徴およびマーキングは、ホログラムのようなその他のセキュリティ装置ならびに個人化および認証データと共に使用することができる。
【００５５】
本発明およびその実施形態は、例えば、文書に対する冗長的な個人化データにより、偽造の試みに対する様々なセキュリティ文書の改善されたセキュリティを提供する。
【００５６】
また、本発明およびその実施形態により、多数のその他の利点を実現することもできる。これらは、個人化のために利用可能な完全に新しいタイプのインクおよび効果を有する。紙のデータページおよび紙のエリアの場合には、レーザー技法を使用して個人化を実施することができる。プラスチックのデータページおよびプラスチックのエリアの場合には、個人化は、通常、レーザー除去によって生成される白黒のみであり、その他の技法により、様々な色が可能である。本発明およびその実施形態は、上述のＯＶＩ個人化を可能にし、また、必要に応じて、同時に、２つのページ上に様々な多数の種類の色による個人化と、個人化に対する蛍光発光する可変の効果とを可能にする。
【００５７】
当業者には、本発明の概念を技術の進歩に伴って様々な方法で実装することができることが明らかとなろう。本発明およびその実施形態は、上述の例に限定されるものではなく、請求の範囲内において変更してもよい。
【図１】
2014515707.tif 000003
【図２】
2014515707.tif 000004
【図３】
2014515707.tif 000005
【国際調査報告】
2014515707.tif 000006
2014515707.tif 000007
2014515707.tif 000008